(57)【要約】【課題】少量の薬液を従来の注射器よりも高精度に且つ無駄なく吐出することのできる注射器を提供する。【解決手段】軸方向に一様な内径を有するバレル本体（５）、及びバレル本体（５）の一端に連なる針接続部（６）を有するバレル（２）と、バレル（２）の内面に嵌合するピストン（７）、及びピストン（７）に連なりピストンをバレル（２）内で軸方向に往復移動させるためのロッドを有するプランジャ（３）とを備えた注射器において、針接続部（６）の内面がテーパー状に形成され、  ピストン（７）が、後方に前記ロッドを連結してバレル本体（５）の内面に嵌合するディスク部と、ディスク部の前方に連なり針接続部（６）の内面と相補する外形状のショット部とを有することを特徴とする。
2012111539.tif 000002
【特許請求の範囲】
【請求項１】
軸方向にほぼ一様な内径を有するバレル本体、及びバレル本体の一端に連なる針接続部を有するバレルと、
前記バレルの内面に嵌合するピストン、及びピストンに連なりピストンを前記バレル内で軸方向に往復移動させるためのロッドを有するプランジャとを備えた注射器において、
前記針接続部の内面が開口端に至るまで線形テーパーであり、
前記ピストンが、後方に前記ロッドを連結して前記バレル本体の内面に締まり嵌合可能なディスク部と、ディスク部の前方に連なり、前記針接続部の内面と実質的に相補するように線形テーパーであるショット部とを有することを特徴とする注射器。
【請求項２】
前記針接続部の外面が内面に沿って線形テーパーである請求項１に記載の注射器。
【請求項３】
前記バレル本体が、前記ディスク部が緩く嵌合する環状の逃げを針接続部の直前に有する請求項１に記載の注射器。
【請求項４】
前記ショット部が、前記針接続部よりも僅かに長い請求項１に記載の注射器。
【請求項５】
前記針接続部内面のテーパー率が、３／１００〜１０／１００である請求項１に記載の注射器。
【請求項６】
規格容量が０．１ｍＬ以上１ｍＬ以下である請求項１に記載の注射器。
【請求項７】
小型動物又は実験動物用である請求項１に記載の注射器。
【発明の詳細な説明】
【技術分野】
【０００１】
この発明は、注射器、特に小型・実験動物用に好適である注射器に関する。
【背景技術】
【０００２】
小型・実験動物に薬液を投与するために、非経口投与である場合だけでなく経口投与である場合も注射器が用いられることが多い。一般に注射器は、先端の針接続部が小径に形成されたバレルと、バレル内面に嵌合するピストンを先端に形成したプランジャとからなる。【０００３】
前記薬液は、投与量が元々少ないことから、僅かの誤差でも動物に対する許容範囲を外れたり、実験に支障を来すことがあり、また、需要が少ないこともあって、一般に高価である。従って、できる限り高精度に且つ少ない残量で投与されることが要請されている。【０００４】
そこで、バレル内の全量を吐出可能にするために、ピストンの前方に針接続部の内面と嵌合する突き出し部を形成することにより、プランジャが完全に押し込まれた際におけるバレル内のデッドスペースを少なくした注射器が提案されている（特許文献１）。尚、特許文献１では、前記針接続部をノズル２４、突き出し部をプランジャ先端３６と称している。
【先行技術文献】
【特許文献】
【０００５】
【特許文献１】特表２００１−５２３９８６号公報
【発明の概要】
【発明が解決しようとする課題】
【０００６】
しかし、前記特許文献１に開示された注射器は、プランジャ先端３６の外径をノズル２４の内径よりも小さくすることにより、プランジャ先端３６がノズル２４の開口端面にまで達するようにされている（同文献、図２Ｂ参照。このためにプランジャ先端３６の外面とノズル２４の内面とで挟まれる環状間隙に依然として薬液が残ってしまう。また、プランジャ先端３６が一様に小径であることから、折れやすい。
それ故、この発明の課題は、少量の薬液を従来の注射器よりも高精度に且つ無駄なく吐出することのできる注射器を提供することにある。
【課題を解決するための手段】
【０００７】
その課題を解決するために、この発明の注射器は、
軸方向にほぼ一様な内径を有するバレル本体、及びバレル本体の一端に連なる針接続部を有するバレルと、
前記バレルの内面に嵌合するピストン、及びピストンに連なりピストンを前記バレル内で軸方向に往復移動させるためのロッドを有するプランジャとを備えた注射器において、
前記針接続部の内面が開口端に至るまで線形的に徐々に細くなるテーパーであり、
前記ピストンが、後方に前記ロッドを連結して前記バレル本体の内面に締まり嵌合可能なディスク部と、ディスク部の前方に連なり、前記針接続部の内面と実質的に相補するように線形テーパーであるショット部とを有することを特徴とする。
この明細書において、針接続部の針とは、先端が尖っていて筋肉や血管に刺すことのできるものに限らず、経口ゾンデと呼ばれる先端非鋭利性の細管も含む概念である。【０００８】
この発明の注射器によれば、ディスク部より前方のバレル内部に薬液が充填され、プランジャを押し込むに連れてディスク部がショット部とともに前進して針接続部より薬液が吐出される。針接続部の内面が開口端に至るまでテーパー状をなしているので、薬液を高い精度で開口端から微量ずつ吐出することができる。しかもショット部が針接続部の内面と相補するテーパー状をなしていることから、ショット部の先端が針接続部の開口端に達するまで針接続部が閉塞することはない。そして、ショット部の先端が針接続部の開口端面に達した時点で針接続部の内側空間がショット部で埋まるとともに、薬液の全量吐出が完了する。ショット部は先端においては極めて小さい外径を有するが、基端においてはディスク部のそれに近い外径を有するので、十分な機械的強度を備えている。【０００９】
前記バレル本体は、好ましくは前記ディスク部が緩く嵌合する環状の逃げを針接続部の直前に有する。これにより、薬液を出し切ると同時にディスク部が逃げに嵌って安定し、針接続部の内面から受ける反力によるプランジャの戻りが阻止される。
また、前記ショット部は、好ましくは前記針接続部よりも僅かに長い。これにより、表面張力等で針接続部の開口に薬液が残存するのを防ぐことができる。
前記針接続部内面のテーパー率は、好ましくは３／１００〜１０／１００である。テーパー率が３／１００に満たないと前記の作用に乏しく、１０／１００を超えると吐出困難となる。
この発明が適用される注射器の好ましい規格容量は、０．１ｍＬ以上１ｍＬ以下である。
【発明の効果】
【００１０】
薬液の全量が吐出されるので、薬液を高精度に投与することができるうえ、薬液を無駄にしなくて済む。また、しかもショット部が高い機械的強度を備えているので、折れにくく耐久性に優れる。
【図面の簡単な説明】
【００１１】
【図１】実施形態の注射器を注射針とともに示す分解正面図である。
【図２】同注射器の一部縦断面図であり、（ａ）はプランジャが完全に押し込まれる前、（ｂ）は完全に押し込まれた状態を示す。
【図３】もう一つの実施形態の注射器の一部縦断面図であり、（ａ）はプランジャが完全に押し込まれる前、（ｂ）は完全に押し込まれた状態を示す。
【発明を実施するための形態】
【００１２】
−実施形態１−
注射器１は、バレル２及びプランジャ３を備え、０．５ｍＬ以下の薬液を投与するために注射針（経口ゾンデ）４を取り付けて用いられる。
バレル２は、軸方向に一様な内径を有する円筒状のバレル本体５、及びバレル本体５の一端に連なる中空円錐台状をなし、端面が開口した針接続部６を有する。針接続部６の内面は、バレル本体５に連なる基端においてはバレル本体５の内径より小さい内径を有し、開口端面に向かうに伴って徐々に線形的に６／１００の率で縮径（テーパー）されている。
【００１３】
プランジャ３は、ピストン７及びピストン７に連なりピストン７をバレル２内で軸方向に往復移動させるためのロッド８からなる。ピストン７は、後方にロッド８を連結してバレル本体５の内面に嵌合する外面を有する円盤状のディスク部７１と、ディスク部７１の前方に連なるショット部７２とからなる。ショット部７２の外面は、針接続部６の内面と実質的に相補するテーパー状をなす。但し、ショット部７２の外面は、針接続部６の内面の軸方向長さよりも少し長く軸方向に延びている。ロッド８は、バレル本体５の内径よりも十分に大きい直径の円盤状のヘッド８１が後端に一体的に形成されている他は、横断面が軸方向に一様な円柱状部８２をなす。
【００１４】
注射器１は、プランジャ３を後退させると、針４を省略して図２（ａ）に示すようにディスク部７１より前方のバレル２内部に空間Ｓが形成され、そこに薬液が充填される。また、プランジャ３を想像線に示すように前進させると、図２（ｂ）に示すようにディスク部７１が針接続部６とバレル本体５との段差に係った時点で停止する。同時に、ショット部７２の外面が針接続部６の内面に嵌合するとともに、ショット部７２の先端が僅かに針接続部６の開口端面より突き出る。
【００１５】
注射器１を使用するときは、針接続部６に針４を被せるようにして取り付けて、針４を図略の薬瓶に差し込んでプランジャ３を後退させることにより、前記空間Ｓに薬液を充填する。そして、針４を図略の対象動物の体に挿入し、プランジャ３を前進させる。押し込むに連れてディスク部７１がショット部７２とともに前進して針接続部６より薬液が針内を経由して対象動物に投与される。針接続部６の外面が円錐台状をなしていることから、針４が着実に固定される。
【００１６】
また、針接続部６の内面がショット部７２の外面と互いに相補するテーパー状に形成されていることから、ショット部７２の先端が針接続部６の開口端面を超えるまで針接続部６が閉塞することはない。そして、ショット部７２の先端が針接続部６の開口端面を通過した時点で針接続部６の内側空間がショット部７２で埋まるとともに、薬液の全量吐出が完了する。ショット部７２は先端においては極めて小さい外径を有するが、基端においてはディスク部のそれに近い外径を有するので、十分な機械的強度を備えている。
【００１７】
−実施形態２−
第二の実施形態の注射器は、バレル１２、特にバレル本体１５の形状が第一の実施形態のバレル本体５と少し異なる他は、第一の実施形態の注射器１と同形同質の構成要素からなる。そして、バレル本体１５の内径は、プランジャ３の受け入れ口である後端から針接続部６付近に至るまで軸方向に一様であるが、図３（ａ）に示すように針接続部６の直前で僅かに環状に広がって、逃げ１５ａが形成されている。
【００１８】
これにより、図３（ｂ）に示すように薬液を出し切ると同時にディスク部７１が逃げ１５ａに嵌って安定し、針接続部１６の内面から受ける反力によるプランジャ３の戻りが阻止される。
【符号の説明】
【００１９】
１  注射器
２、１２  バレル
３  プランジャ
４  注射針
５、１５  バレル本体
６、１６  針接続部
７  ピストン
７１  ディスク部
７２  ショット部
１５ａ  逃げ
【図１】
2012111539.tif 000003
【図２】
2012111539.tif 000004
【図３】
2012111539.tif 000005
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
軸方向にほぼ一様な内径を有するバレル本体、及びバレル本体の一端に連なる針接続部を有するバレルと、
前記バレルの内面に嵌合するピストン、及びピストンに連なりピストンを前記バレル内で軸方向に往復移動させるためのロッドを有するプランジャとを備えた注射器において、
前記針接続部の内面が開口端に至るまで線形テーパーであり、
前記ピストンが、後方に前記ロッドを連結して前記バレル本体の内面に締まり嵌合可能なディスク部と、ディスク部の前方に連なり、前記針接続部の内面と実質的に相補するように線形テーパーであるショット部とを有し、
前記バレル本体が、前記ディスク部が緩く嵌合する環状の逃げを針接続部の直前に有することを特徴とする注射器。
【請求項２】
前記針接続部の外面が内面に沿って線形テーパーである請求項１に記載の注射器。
【請求項３】
前記ショット部が、前記針接続部よりも僅かに長い請求項１に記載の注射器。
【請求項４】
前記針接続部内面のテーパー率が、３／１００〜１０／１００である請求項１に記載の注射器。
【請求項５】
規格容量が０．１ｍＬ以上１ｍＬ以下である請求項１に記載の注射器。
【請求項６】
小型動物又は実験動物用である請求項１に記載の注射器。
【国際調査報告】
2012111539.tif 000006
2012111539.tif 000007
2012111539.tif 000008
2012111539.tif 000009